(57)【特許請求の範囲】
【請求項１】
所定の撮影範囲内に位置するユーザを撮影する撮影手段と、
前記撮影手段により撮影された前記ユーザの画像を記憶する記憶手段と、
前記撮影手段により撮影された前記ユーザの前記画像を印刷する印刷手段と、
前記印刷手段により印刷される前記画像の代金を徴収する代金徴収手段と、
前記代金徴収手段により徴収される前記代金を検知する代金検知手段と
を備え、
所定の処理が行われてから、前記代金検知手段により前記代金が検知されるまでの間、所定の時間の周期で、前記撮影手段は、前記撮影範囲内の空間を撮影し、
前記記憶手段は、前記撮影手段により撮影された前記撮影範囲内の空間の画像を記憶する
ことを特徴とする画像印刷装置。
【請求項２】
前記所定の処理は、前記印刷手段が、前のユーザによる写真シール取得プレイにおいて、前記撮影手段により撮影された前記前のユーザの前記画像を印刷する処理である
ことを特徴とする請求項１に記載の画像印刷装置。
【請求項３】
前記撮影範囲内への進入者の進入を検知する進入者検知手段をさらに備え、
前記所定の処理は、前記進入者検知手段が、前記進入者を検知した旨の信号を出力する処理である
ことを特徴とする請求項１に記載の画像印刷装置。
【請求項４】
前記記憶手段は、前記撮影範囲内に前記進入者が存在しない状態で、前記撮影手段により撮影された前記撮影範囲の空間の第１の画像を、あらかじめ記憶しており、
前記進入者検知手段は、前記記憶手段に記憶されている前記第１の画像と、前記撮影手段により撮影された前記撮影範囲の空間の第２の画像とを比較し、前記第１の画像と前記第２の画像が一致しない場合、前記撮影範囲内に前記進入者が存在すると判定する
ことを特徴とする請求項３に記載の画像印刷装置。
【請求項５】
前記進入者検知手段により前記進入者が存在すると検知されてから、前記所定の時間が計時されるまでの期間に、前記代金検知手段により前記代金が検知されないとき、音声による警告のメッセージを出力する音声出力手段をさらに備える
ことを特徴とする請求項３または４に記載の画像印刷装置。
【請求項６】
前記進入者検知手段により前記進入者が存在すると検知されてから、前記所定の時間が計時されるまでの期間に、前記代金検知手段により前記代金が検知されないとき、前記撮影手段により撮影された前記撮影範囲内の空間の画像を表示する表示手段をさらに備える
ことを特徴とする請求項３乃至５のいずれかに記載の画像印刷装置。
【請求項７】
前記表示手段は、前記画像印刷装置の本体とは異なる位置に配置される
ことを特徴とする請求項６に記載の画像印刷装置。
【請求項８】
前記表示手段は、文字による警告のメッセージをさらに表示する
ことを特徴とする請求項６または請求項７に記載の画像印刷装置。
【請求項９】
前記撮影手段により撮影された前記撮影範囲内の空間の画像を、外部の情報処理装置に対して送信する送信手段をさらに備える
ことを特徴とする請求項１乃至８のいずれかに記載の画像印刷装置。
【請求項１０】
前記送信手段は、警告のメッセージを、外部の情報処理装置に対してさらに送信する
ことを特徴とする請求項９に記載の画像印刷装置。
【請求項１１】
前記画像印刷装置の異常を検知する異常検知手段をさらに備え、
前記異常検知手段により異常が検知されていない場合、前記記憶手段は、前記撮影手段により撮影された前記撮影範囲の空間の画像を、所定の第１の記憶領域に、前記空間の画像の履歴として記憶し、
前記異常検知手段により異常が検知された場合、前記記憶手段は、前記撮影手段により撮影された、前記異常が発生した時点の前記撮影範囲の空間の画像を、前記第１の記憶領域と異なる第２の記憶領域に記憶する
ことを特徴とする請求項１乃至１０のいずれかに記載の画像印刷装置。
【請求項１２】
所定の撮影範囲内に位置するユーザを撮影する撮影手段と、
前記撮影手段により撮影された前記ユーザの画像を記憶する記憶手段と、
前記撮影手段により撮影された前記ユーザの前記画像を印刷する印刷手段と、
前記印刷手段により印刷される前記画像の代金を徴収する代金徴収手段と、
前記代金徴収手段により徴収される前記代金を検知する代金検知手段と
を備える画像印刷装置の防犯方法であって、
所定の条件を満たす場合、前記代金が検知されるまでの間、前記撮影手段により、所定の時間の周期で、所定の撮影範囲内の空間を撮影する撮影ステップと、
前記撮影ステップの処理により撮影された前記撮影範囲内の空間の画像を、記憶する記憶ステップと
を含むことを特徴とする画像印刷装置の防犯方法。
【請求項１３】
所定の撮影範囲内に位置するユーザを撮影する撮影手段と、
前記撮影手段により撮影された前記ユーザの画像を記憶する記憶手段と、
前記撮影手段により撮影された前記ユーザの前記画像を印刷する印刷手段と、
前記印刷手段により印刷される前記画像の代金を徴収する代金徴収手段と、
前記代金徴収手段により徴収される前記代金を検知する代金検知手段と
を備える画像印刷装置を制御するコンピュータに実行させるプログラムであって、
所定の条件を満たす場合、前記代金が検知されるまでの間、前記撮影手段により、所定の時間の周期で、所定の撮影範囲内の空間を撮影する撮影ステップと、
前記撮影ステップの処理により撮影された前記撮影範囲内の空間の画像を、記憶する記憶ステップと
をコンピュータに実行させるプログラム。
【発明の詳細な説明】
【０００１】
【発明の属する技術分野】
本発明は、画像印刷装置、画像印刷装置の防犯方法、およびプログラムに関し、特に、画像印刷装置の防犯機能を強化することができるようにした画像印刷装置、画像印刷装置の防犯方法、およびプログラムに関する。
【０００２】
【従来の技術】
従来、ユーザを撮影し、撮影した画像をシール紙などに印刷して出力する画像印刷装置（例えば、プリント倶楽部（商標））が知られている。
【０００３】
このような画像印刷装置は、近年、ユーザの全身を撮影することができるようになっており、それに伴い、その撮影ブース（撮影範囲）の全周がカーテン等により覆われる構造となっている。
【０００４】
【発明が解決しようとする課題】
従って、従来の画像印刷装置は、カーテンが閉められた状態でその撮影ブース内にユーザがいる場合、そのユーザは外部からは見えないという特徴を有することになる。
【０００５】
その結果、画像印刷装置に内蔵されている代金収納箱やカメラ等がいたずらされたり、さらには、その代金収納箱に収納された硬貨やカメラ等が盗まれてしまったような場合、その所有者等が、加害者（犯人）を特定することは困難であるという問題点があった。
【０００６】
本発明は、このような状況に鑑みてなされたものであり、画像印刷装置の防犯機能を強化するようにするものである。
【０００７】
【課題を解決するための手段】
本発明の画像印刷装置は、所定の撮影範囲内に位置するユーザを撮影する撮影手段と、撮影手段により撮影されたユーザの画像を記憶する記憶手段と、撮影手段により撮影されたユーザの画像を印刷する印刷手段と、印刷手段により印刷される画像の代金を徴収する代金徴収手段と、代金徴収手段により徴収される代金を検知する代金検知手段とを備え、所定の処理が行われてから、代金検知手段により代金が検知されるまでの間、所定の時間の周期で、撮影手段は、撮影範囲内の空間を撮影し、記憶手段は、撮影手段により撮影された撮影範囲内の空間の画像を記憶することを特徴とする。
【０００８】
本発明の画像印刷装置においては、所定の処理が行われてから、印刷される画像の代金が検知されるまでの間、所定の時間の周期で、撮影範囲内の空間が撮影され、撮影された画像が記憶される。
【０００９】
従って、防犯機能を強化することができる。
【００１０】
即ち、管理者等は、所定のタイミングで、記憶された画像を確認することで、画像印刷装置にいたずらしたり、貨幣を盗んだ者を特定することができる。
【００１１】
撮影手段は、例えば、図１のCCDカメラ２１により、記憶手段は、例えば、図２のキープ画像記憶部３８により、印刷手段は、例えば、図２のプリンタ４４により、代金徴収手段は、例えば、図１の硬貨投入口２５により、代金検知手段は、例えば、図２の代金処理部４３により、それぞれ構成される。
【００１２】
撮影範囲は、例えば、図１の撮影ブース１２内のCCDカメラ２１の正面の空間とされる。
【００１３】
所定の時間は、例えば、図２のタイマ４５により計時される。
【００１４】
所定の処理は、印刷手段が、前のユーザによる写真シール取得プレイにおいて、撮影手段により撮影された前のユーザの画像を印刷する処理であるようにすることができる。
【００１５】
これにより、次に撮影範囲内に入場したユーザが代金を支払うまでの間（代金が検知されるまでの間）、所定の時間間隔で、撮影範囲内の空間の画像を確実に記憶することができる。
【００１６】
即ち、次に撮影範囲内に入場したユーザが、所定の時間内に代金を支払わない場合（所定の時間内に代金が検知されない場合）、そのユーザの画像を確実に記憶することができる。
【００１７】
また、撮影範囲内への進入者の進入を検知する進入者検知手段をさらに設け、所定の処理は、進入者検知手段が、進入者を検知した旨の信号を出力する処理であるようにすることができる。
【００１８】
これにより、撮影範囲内に進入した進入者が代金を支払うまでの間（代金が検知されるまでの間）、所定の時間間隔で、撮影範囲内の進入者の画像を確実に記憶することができる。
【００１９】
進入者検知手段は、例えば、赤外線センサ等からなる図７の人体検知部７１により構成される。
【００２０】
さらに、記憶手段は、撮影範囲内に進入者が存在しない状態で、撮影手段により撮影された撮影範囲の空間の第１の画像を、あらかじめ記憶しており、進入者検知手段は、記憶手段に記憶されている第１の画像と、撮影手段により撮影された撮影範囲の空間の第２の画像とを比較し、第１の画像と第２の画像が一致しない場合、撮影範囲内に進入者が存在すると判定するようにすることができる。
【００２１】
これにより、撮影範囲内に進入者が進入したことを確実に検知することができる。
【００２２】
なお、第１の画像は、図２のキープ画像記憶部３８に記憶されてもよいが、消去されないように、キープ画像記憶部３８以外の記憶部、例えば、ROM３２、またはプログラム記憶部３４等の記憶部に記憶されていることが好適である。
【００２３】
本発明の画像印刷装置では、進入者検知手段により進入者が存在すると検知されてから、所定の時間が計時されるまでの期間に、代金検知手段により代金が検知されないとき、撮影手段により撮影された撮影範囲内の空間の画像を表示する表示手段をさらに設けるようにすることができる。
【００２４】
従って、表示手段に進入者の画像を表示させることにより、進入者に対して警告を行うことができる。
【００２５】
表示手段は、例えば、図１の操作パネル２３の位置に設けられている表示部４１により構成される。
【００２６】
さらに、表示手段は、画像印刷装置の本体とは異なる位置に配置されるようにすることができる。
【００２７】
これにより、管理者等は、例えば、監視室において、進入者の監視を行うことができる。
【００２８】
本体は、例えば、図１の撮影ブース１２内に設置される画像印刷装置１１の筐体とされる。この場合、表示手段は、例えば、図７の表示部７２により構成され、図１の撮影ブース１２の外部に位置する監視室等に配置されることができる。
【００２９】
本発明の画像印刷装置では、撮影手段により撮影された撮影範囲内の空間の画像を、外部の情報処理装置に対して送信する送信手段をさらに備えるようにすることができる。
【００３０】
これにより、管理者等は、例えば、携帯電話機等の端末機により、進入者の監視を行うことができる。
【００３１】
送信手段は、例えば、図７のモデム等からなる通信部７３により構成され、撮影ブース１２の外部に位置する携帯電話機、PHS（Personal  Handy-phone  System）等の端末機、あるいはパーソナルコンピュータ等により構成される図７の外部情報処理装置７４に対して、進入者の画像、および警告メッセージ等の情報（データ）を送信する。
【００３２】
本発明の画像印刷装置では、進入者検知手段により進入者が存在すると検知されてから、所定の時間が計時されるまでの期間に、代金検知手段により代金が検知されないとき、音声による警告のメッセージを出力する音声出力手段をさらに設けるようにすることができる。
【００３３】
これにより、進入者に対して、確実に警告を行うことができる。
【００３４】
音声出力手段は、例えば、図１のスピーカ２４、および図２の音声出力制御部３９により構成される。
【００３５】
さらに、表示手段は、文字による警告のメッセージを表示し、送信手段は、警告のメッセージを外部の情報処理装置に送信するようにすることができる。
【００３６】
これにより、進入者に対して、確実に警告を行うとともに、管理者等にも進入者の存在を確実に知らせることができる。
【００３７】
本発明の画像印刷装置では、画像印刷装置の異常を検知する異常検知手段をさらに設け、異常検知手段により異常が検知されていない場合、記憶手段は、撮影手段により撮影された撮影範囲の空間の画像を、所定の第１の記憶領域に、空間の画像の履歴として記憶し、異常検知手段により異常が検知された場合、記憶手段は、撮影手段により撮影された、異常が発生した時点の撮影範囲の空間の画像を、第１の記憶領域と異なる第２の記憶領域に記憶するようにすることができる。
【００３８】
これにより、画像印刷装置の本体の異常を検知した時点の撮影範囲の空間の画像を確実に記憶することができる。
【００３９】
即ち、進入者により画像印刷装置のハードが破損された場合、その進入者の画像を確実に記憶することができる。
【００４０】
異常検知手段は、例えば、図５の本体異常検知部６１により構成され、図１のCCDカメラ２１、硬貨投入口２５等の破損等のハードの異常を検知することができる。
【００４１】
所定の撮影範囲内に位置するユーザを撮影する撮影手段と、撮影手段により撮影されたユーザの画像を記憶する記憶手段と、撮影手段により撮影されたユーザの画像を印刷する印刷手段と、印刷手段により印刷される画像の代金を徴収する代金徴収手段と、代金徴収手段により徴収される代金を検知する代金検知手段とを備える本発明の画像印刷装置の防犯方法は、所定の条件を満たした場合、印刷される画像のために徴収される代金が検知されるまでの間、撮影手段により、所定の時間の周期で、所定の撮影範囲内の空間を撮影する撮影ステップと、撮影ステップの処理により撮影された撮影範囲内の空間の画像を、記憶する記憶ステップとを含むことを特徴とする。
【００４２】
所定の撮影範囲内に位置するユーザを撮影する撮影手段と、撮影手段により撮影されたユーザの画像を記憶する記憶手段と、撮影手段により撮影されたユーザの画像を印刷する印刷手段と、印刷手段により印刷される画像の代金を徴収する代金徴収手段と、代金徴収手段により徴収される代金を検知する代金検知手段とを備える画像印刷装置を制御するコンピュータに実行させる本発明のプログラムは、所定の処理の条件を満たした場合、印刷される画像のために徴収される代金が検知されるまでの間、撮影手段により、所定の時間の周期で、所定の撮影範囲内の空間を撮影する撮影ステップと、撮影ステップの処理により撮影された撮影範囲内の空間の画像を、記憶する記憶ステップとをコンピュータに実行させる。
【００４３】
本発明の画像印刷装置の防犯方法およびプログラムにおいては、所定の条件を満たした場合、所定の時間の周期で、所定の撮影範囲内の空間が撮影され、撮影された画像が記憶される。
【００４４】
従って、防犯機能を強化することができる。
【００４５】
即ち、管理者等は、所定のタイミングで、記憶された画像を確認することで、画像印刷装置にいたずらしたり、貨幣を盗んだ者を特定することができる。
【００４６】
【発明の実施の形態】
図１は、本発明が適用される画像印刷装置１１の外観の構成例を表している。
【００４７】
撮影ブース１２は、例えば、街角やビルディング等の建物内に配設される。
【００４８】
撮影ブース１２の１つの側面１２ａは解放されており、ユーザは、この側面１２ａから撮影ブース１２内に入場し、また撮影ブース１２内から退場する。
【００４９】
撮影ブース１２内に入場したユーザは、撮影を行う場合、その解放された撮影ブース１２の側面１２ａを、カーテン１３により覆い、撮影ブース１２の外部から入射される光（外光）が遮断させる。
【００５０】
画像印刷装置１１は、その筐体の裏面（筐体の正面１１ａと対向する面１１ｂ）と、撮影ブース１２の側面１２ａに垂直な側面１２ｂの内面が接するように、撮影ブース１２内に設置される。
【００５１】
画像印刷装置１１の筐体の正面１１ａには、その上方に１対の照明装置２２ａ，２２ｂが設けられ、それらの間には、撮影ブース１２内のユーザを撮影するためのCCD（Charge Coupled Device）カメラ２１が設けられている。
【００５２】
照明装置２２ａ，２２ｂは、CCDカメラ２１によりユーザが撮影される場合、フラッシュとして機能するとともに、カーテン１３により外光が遮断されて、内部が暗くなるため、撮影前の状態においてもユーザを照明する。
【００５３】
さらに、画像印刷装置１１の筐体の正面１１ａには、CCDカメラ２１の下方に、操作パネル２３およびタッチペン２７が設けられており、また、その正面１１ａから見て右側に、スピーカ２４が設けられている。
【００５４】
操作パネル２３は、液晶ディスプレイまたはCRT（Cathode-Ray Tude）よりなる表示部と、その上部に積層されるタッチパネルからなる入力部から構成される。操作パネル１３は、CCDカメラ２１により撮影された画像を表示する。また、操作パネル１３においては、撮影画像の他に、画像プリントの作成および印刷処理の進行段階に応じて種々の選択ボタン、メッセージなどが表示され、操作パネル１３に表示された選択ボタンを、例えばタッチペン２７を利用して選択する（タッチペン２７の先端を選択ボタンの上に配置する）ことにより撮影手順が進行される。
【００５５】
スピーカ２４は、ユーザに対して、例えば、撮影手順の進行を案内するガイダンス等の音声を出力する。
【００５６】
また、画像印刷装置１１の筐体の正面１１ａには、スピーカ２４の下方に、硬貨投入口２５が設けられており、その下方には、写真受取口２６が設けられている。
【００５７】
なお、図示はしないが、必要に応じて、釣り銭が返却される返却口、および紙幣が挿入される紙幣挿入口が設けられる。
【００５８】
ユーザが、所定の代金の硬貨を硬貨投入口２５に投入すると、撮影手順が開始される。
【００５９】
そして、撮影終了後、その撮影画像が、所定数に分割されたシールに印刷されて、写真受取口２６より排出される。
【００６０】
（第１実施形態）
図２は、本発明の第１実施形態が適用される図１の画像印刷装置１１の内部の構成例を示すブロック図である。図１において説明した部分については、その説明は省略する。
【００６１】
図２において、CPU（Central Processing Unit）３１は、ROM（Read Only Memory）３２に記憶されているプログラム、またはプログラム記憶部３４からRAM（Random Access Memory）３３にロードしたプログラムに従って、画像印刷装置１１の全体の動作を、バス３７を介して制御する。RAM３３にはまた、CPU３１が各種の処理を実行する上において必要なデータなどが適宜記憶される。
【００６２】
プログラム記憶部３４は、ハードディスクやそのドライブからなり、CPU３１が実行する様々なプログラムなどを記憶する。ドライブ３５は、磁気ディスク、光ディスクなどのリムーバブルな記録媒体に記憶されているプログラムを読み出し、バス３７を介してプログラム記憶部３４などに供給する。
【００６３】
CCDカメラ制御部３６は、CPU３１の制御に基づいて、CCDカメラ２１による撮影動作を開始させたり、終了させたりする他、CCDカメラ２１のズーム率、取り込む光量などを適宜制御する。
【００６４】
キープ画像記憶部３８は、CCDカメラ２１が撮影した画像を、バス３７を介して取り込み、所定の枚数（例えば、６枚）だけ記憶する。以下、キープ画像記憶部３８に記憶された画像を、キープ画像と称する。
【００６５】
音声出力制御部３９は、CPU３１の制御に基づいて、撮影手順を説明するガイダンスなどの音声信号を、スピーカ２４に出力する。
【００６６】
表示プロセッサ４０は、CPU３１の制御に基づいて、キープ画像記憶部３８からバス３７を介して転送されてくるキープ画像等の情報を、内蔵するメモリ４０ａに記憶させるとともに、操作パネル２３の表示部４１に表示させる。
【００６７】
また、表示プロセッサ４０は、操作パネル２３の入力部４２が検出した位置（タッチペン２７の先端が配置された位置）に対応する座標データを、CPU３１に供給する。
【００６８】
代金処理部４３は、CPU３１の制御に基づいて、硬貨投入口２５から投入された硬貨を検知するとともに、投入された硬貨の総金額を演算し、演算した金額が画像の作成代金として予め設定されている所定の金額に達したと判定した場合、それをCPU３１に通知する。
【００６９】
プリンタ４４は、所定の数、および大きさに分割されたシールを有するシールシートを複数種類ストックし、ユーザから選択されたシールシートに、撮影されたユーザの画像を印刷する。プリンタ４４により印刷されたシールシートは、図１の写真受取口２６から排出され、ユーザに提供される。
【００７０】
タイマ４５は、計時動作を行い、日時情報をCPU３１に出力する。
【００７１】
次に、図３のフローチャートを参照して、本発明の第１実施形態が適用される画像印刷装置１１の防犯機能の処理を説明する。
【００７２】
なお、操作パネル２３（表示部４１）に表示されるメッセージ、またはスピーカ２４より出力されるガイダンス等に従って、ユーザ（タッチペン２７）からの指示により撮影のための各種設定等が行われる設定処理、設定処理が終了した後、CCDカメラ２１によりユーザを撮影する撮影処理、操作パネル２３に表示された撮影された画像に対して、タッチペン２７を操作することで落書きが加工される画像加工処理、その加工された画像がシールシートに印刷される印刷処理、およびその印刷された写真シールが写真受取口２６に排出される排出処理等からなる一連の処理を、以下、写真シール取得プレイ処理と称する。
【００７３】
前のユーザによる上述した写真シール取得プレイ処理が終了された場合、ステップＳ１１において、CPU３１は、タイマ４５に計時動作を開始させるとともに、CCDカメラ２１は、撮影ブース１２内の空間を撮影する。
【００７４】
この例においては、CCDカメラ２１は、撮影ブース１２内の空間を連続して撮影するものとする。
【００７５】
即ち、CCDカメラ制御部３６は、CPU３１の制御に基づき、デジタルスチルカメラを構成するCCDカメラ２１に、空間を連続的に撮影させるように制御する。
【００７６】
以下、このような「連続して撮影する」ことを、「モニタする」と称し、「今モニタしている画像」を、以下、「モニタ画像」と称する。
【００７７】
ステップＳ１２において、CPU３１は、硬貨が投入されたか否かを、代金処理部４３が硬貨を検知したか否かにより判定する。
【００７８】
ステップＳ１２において、硬貨が投入されたと判定された、ステップＳ１７において、CPU３１は、タイマ４５の計時動作を終了させるとともに、写真シール取得プレイ処理を行う。
【００７９】
ステップＳ１７の処理が終了された場合、CPU３１は、ステップＳ１８において、タイマ４５を０にリセットさせるとともに、ステップＳ１９において、防犯機能のオフが指示されたか否かを判定し、オフが指示されたと判定した場合、防犯機能処理を終了する。
【００８０】
ステップＳ１９において、オフが指示されていないと判定された場合、ステップＳ１１に戻り、それ以降の処理が繰り返される。即ち、CCDカメラ２１は、撮影ブース１２内の空間を撮影する（この例においては、CCDカメラ２１は、常時モニタしている）。
【００８１】
ステップＳ１２において、硬貨が投入されていないと判定された場合、ステップＳ１３において、CPU３１は、タイマ４５により予め設定されている所定の時間が計時されたか否かを判定する。
【００８２】
ステップＳ１３において、所定の時間が計時されていないと判定された場合、ステップＳ１１に戻り、それ以降の処理が繰り返される。
【００８３】
ステップＳ１３において、所定の時間が計時されたと判定された場合、ステップＳ１４において、CPU３１は、キープ画像記憶部３８に画像を新規に記憶できる領域が存在するか否かを判定する。
【００８４】
例えば、この例においては、最大６枚の画像がキープ画像記憶部３８に記憶可能であるので、キープ画像記憶部３８の記憶容量が６枚分の画像分であり、そこに既に６枚の画像が記憶されている場合、CPU３１は、新規記憶領域がないと判定し、それ以外の場合（キープ画像記憶部３８に記憶されている画像の枚数が６枚未満である場合）、新規記憶領域があると判定する。
【００８５】
勿論、キープ画像記憶部３８の記憶容量が７枚以上の画像を記憶できるものである場合には、その最大の枚数が記憶済みであるか否かに基づいて、判定が行われる。
【００８６】
ステップＳ１４において、新規記憶領域が存在しないと判定された場合、CPU３１は、ステップＳ１５において、キープ画像記憶部３８に記憶されている古い画像を消去し、新規記憶領域を確保する。
【００８７】
ステップＳ１５の処理が終了された場合、またはステップＳ１４において、新規記憶領域が存在すると判定された場合、ステップＳ１６において、CPU３１は、ステップＳ１１の処理で撮影した画像（ステップＳ１１の処理の時点でのモニタ画像）を、キープ画像記憶部３８に記憶させる。
【００８８】
ステップＳ１６の処理が終了された場合、ステップＳ１９において、CPU３１は、防犯機能のオフが指示されたか否かの判定を行う。
【００８９】
防犯機能のオフが指示されていないと判定された場合、ステップＳ１１に戻り、それ以降の処理が繰り返される。
【００９０】
即ち、第１実施形態においては、撮影ブース１２内がCCDカメラ２１により常時モニタされ、所定の時間の周期で、そのモニタ画像が、キープ画像記憶部３８に記憶され、キープ画像記憶部３８の所定の容量内で蓄積されていく。キープ画像記憶部３８に記憶された画像の量が、その容量を超えた場合、古い画像が消去され、その上に新たな画像が上書きされる。
【００９１】
従って、管理者は、所定のタイミングで、キープ画像記憶部３８に記憶された画像を確認することで、画像印刷装置１１にいたずらしたり、貨幣を盗んだ者を特定することができる。
【００９２】
（第２実施形態）
本発明の第２実施形態が適用される画像印刷装置１１の構成は、図２の構成と同様であるため、その説明は省略する。従って、図２は、本発明の第２実施形態が適用される画像印刷装置１１の構成としても引用される。
【００９３】
図４のフローチャートを参照して、本発明の第２実施形態が適用される画像印刷装置１１の防犯機能の処理を説明する。
【００９４】
ステップＳ２１において、CCDカメラ２１は、撮影ブース１２内の空間をモニタする。
【００９５】
ステップＳ２２において、CPU３１は、モニタ画像に基づき、撮影ブース１２内に人（ユーザまたは進入者）がいるか否かを判定する。
【００９６】
即ち、撮影ブース１２内に人がいない状態で、撮影された撮影ブース１２内の空間の画像（以下、基準画像と称する）が、例えば、あらかじめROM３２に記憶されており、ステップＳ２２において、CPU３１は、その基準画像を読み出す。
【００９７】
そして、CPU３１は、読み出した基準画像と、モニタ画像とを比較し、基準画像とモニタ画像が一致する場合、人がいないと判定する。一方、基準画像とモニタ画像が一致しない場合、CPU３１は、人がいると判定する。
【００９８】
ステップＳ２２の処理において、人がいないと判定された場合、ステップＳ３６において、CPU３１は、防犯機能のオフが指示されたか否かを判定し、オフが指示されたと判定した場合、防犯機能の処理を終了する。
【００９９】
ステップＳ３６において、オフが指示されていないと判定された場合、ステップＳ２１に戻り、CCDカメラ２１は、撮影ブース１２内の空間を引き続きモニタし、ステップＳ２２において、CPU３１は、モニタ画像に基づき、撮影ブース１２内に人がいるか否かを判定する。
【０１００】
即ち、CPU３１は、撮影ブース１２内に人がいるか否かを常時監視している。
【０１０１】
ステップＳ２２において、人がいると判定された場合、CPU３１は、タイマ４５に計時動作を開始させるともに、キープ画像記憶部３８に画像を新規に記憶できる領域が存在するか否かを判定する。
【０１０２】
ステップＳ２３において、新規記憶領域が存在すると判定された場合、ステップＳ２５において、CPU３１は、ステップＳ２１の処理で撮影された人の画像（この例においては、今モニタしている人の画像、即ちモニタ画像）を、キープ画像記憶部３８に記憶させる。
【０１０３】
ステップＳ２３において、新規記憶領域が存在しないと判定された場合、CPU３１は、ステップＳ２４において、キープ画像記憶部３８に記憶されている古い画像を消去し（新規記憶領域を確保し）、テップＳ２５において、撮影ブース１２内にいる人のモニタ画像を、キープ画像記憶部３８に記憶させる。
【０１０４】
即ち、撮影ブース１２内に入場した全ての人の画像が、履歴画像としてキープ画像記憶部３８に記憶される。
【０１０５】
ステップＳ２６において、CPU３１は、硬貨が投入されたか否かを、代金処理部４３が硬貨を検知したか否かにより判定する。
【０１０６】
ステップＳ２６において、硬貨が投入されたと判定された場合、ステップＳ２７において、CPU３１は、タイマ４５に計時動作を終了させるとともに、写真シール取得プレイ処理を行う。
【０１０７】
写真シール取得プレイ処理が終了された後、、CPU３１は、ステップＳ２８において、タイマ４５を０にリセットさせるとともに、ステップＳ３６において、防犯機能のオフが指示されているか否かを判定する。
【０１０８】
オフが指示されていないと判定された場合、ステップＳ２１に戻り、CCDカメラ２１は、撮影ブース内をモニタすることを開始し、ステップＳ２２において、CPU３１は、モニタ画像に基づき、人がいるか否かを判定する。
【０１０９】
即ち、前のユーザによる写真シール取得プレイ処理が終了された後、CPU３１は、モニタ画像に基づき、撮影ブース１２内に人がいるか否かの監視を開始する。
【０１１０】
一方、ステップＳ２６において、硬貨が投入されていないと判定された場合、ステップＳ２９において、CPU３１は、タイマ４５による所定の時間が計時されたか否かを判定する。
【０１１１】
ステップＳ２９において、所定の時間が計時されていないと判定された場合、ステップＳ２６に戻り、CPU３１は、硬貨が投入されたか否かを再度判定する。
【０１１２】
ステップＳ２９において、所定の時間が計時されたと判定された場合、ステップＳ３０において、CCDカメラ２１は、撮影ブース１２内の空間を撮影する（この例においては、CCDカメラ２１は、モニタを継続している）。
【０１１３】
ステップＳ３１において、CPU３１は、ステップＳ２２と同様の処理により、モニタ画像に基づき、撮影ブース１２内に人がいるか否かを判定する。
【０１１４】
ステップＳ３１において、人がいないと判定された場合、CPU３１は、ステップＳ２８において、タイマ４５に計時動作を終了させ、さらにそのタイマを０にリセットさせるとともに、ステップＳ３６において、防犯機能のオフが指示されているか否かを判定する。
【０１１５】
防犯機能のオフが指示されていないと判定された場合、ステップＳ２１に戻り、CPU３１は、撮影ブース１２内に人がいるか否かの監視を開始する。
【０１１６】
一方、ステップＳ３１において、人がいると判定された場合、ステップＳ３２において、CPU３１は、そのブース１２内の人を要注意人物（画像印刷装置１１に被害を与える恐れのある人物（進入者））と認定し、操作パネル２３（表示部４１）に、所定の警告メッセージを表示させる。さらに、ステップＳ３０の処理で撮影されたその要注意人物の画像（この例においては、その要注意人物のモニタ画像）を表示させてもよい。
【０１１７】
また、音声出力制御部３８は、その警告メッセージを、スピーカ２４を介して、音声として外部に出力する。
【０１１８】
ステップＳ３３において、CPU３１は、キープ画像記憶部３８に画像を新規に記憶できる領域が存在するか否かを判定する。
【０１１９】
ステップＳ３３において、新規記憶領域が存在すると判定された場合、ステップＳ３５において、CPU３１は、要注意人物のモニタ画像を、キープ画像記憶部３８に記憶させる。
【０１２０】
ステップＳ３３において、新規記憶領域が存在しないと判定された場合、CPU３１は、ステップＳ３３において、キープ画像記憶部３８に記憶されている古い画像を消去し（新規記憶領域を確保し）、ステップＳ３４において、要注意人物のモニタ画像を、キープ画像記憶部３８に記憶させる。
【０１２１】
なお、この例においては、ステップＳ３０の処理で撮影された画像（要注意人物のモニタ画像）と、ステップＳ２５の処理で撮影された画像（撮影ブース１２内に入場した人全員のモニタ画像）は、ともに、キープ画像記憶部３８に記憶されるが、防犯上、要注意人物のモニタ画像は、全員のモニタ画像が履歴として記憶されている領域とは別の特定な領域（図示せず）に記憶させてもよい。
【０１２２】
そして、ステップＳ３６において、CPU３１は、防犯機能のオフが指示されているか否かを判定し、いないと判定した場合、ステップＳ２１に戻り、撮影ブース１２内にまだその要注意人物がいるか否を判定し（監視し）、いると判定した場合、ステップＳ２３乃至Ｓ３５の処理を繰り返す。
【０１２３】
即ち、第２実施形態においては、撮影ブース１２内がCCDカメラ２１により常時モニタされるとともに、撮影ブース１２内に人がいるか否かが監視さている。
【０１２４】
人がいると判定された場合、その時点から所定の時間が経過しても、その人が硬貨を硬貨投入口２５に投入しないとき、その人は要注意人物（進入者）であると認定され、その要注意人物のモニタ画像が、例えばキープ画像記憶部３８に記憶される。
【０１２５】
また、要注意人物の存在が認定された場合、警告メッセージが操作パネル２３（表示部４１）に表示されるとともに、音声としてスピーカ２４より出力される。
【０１２６】
これら一連の処理は、その要注意人物が撮影ブース１２内から立ち去るか、または、硬貨を硬貨投入口２５に投入するまで、所定の時間の周期で繰り返される。
【０１２７】
なお、上述したように、ステップＳ２３乃至ステップＳ２５の処理は、撮影ブース１２内に入場した全ての人が撮影され、その人の画像が、履歴の画像として記憶される処理であり、また、要注意人物の画像が、ステップＳ３５の処理で再度記憶されるので、このステップＳ２３乃至ステップＳ２５の処理は、省略させてもよい。
【０１２８】
（第３実施形態）
図５は、本発明の第３実施形態が適用される画像印刷装置１１の構成例を表しており、図２の画像印刷装置１１に対応する部分には、対応する符号が付してある。
【０１２９】
この構成例においては、本体異常検知部６１が、バス３７にさらに接続されている。
【０１３０】
本体異常検知部６１は、例えば、図１のCCDカメラ２１、硬貨投入口２５、または画像印刷装置１１内部の代金収納箱（図示せず）等の画像印刷装置１１の各部のハードの異常を検知する。
【０１３１】
その他の構成は、図２における場合と同様である。
【０１３２】
図６のフローチャートを参照して、本発明の第３実施形態が適用される画像印刷装置１１の防犯機能の処理を説明する。
【０１３３】
前のユーザによる写真シール取得プレイ処理が終了された場合、ステップＳ４１において、CPU３１は、タイマ４５に計時動作を開始させるとともに、CCDカメラ２１は、撮影ブース１２内の空間をモニタする。
【０１３４】
ステップＳ４２において、CPU３１は、キープ画像記憶部３８に画像を新規に記憶できる領域が存在するか否かを判定する。
【０１３５】
ステップＳ４２において、新規記憶領域が存在すると判定された場合、CPU３１は、ステップＳ４４において、モニタ画像を、キープ画像記憶部３８に記憶させる。
【０１３６】
ステップＳ４２において、新規記憶領域が存在しないと判定された場合、CPU３１は、ステップＳ４３において、キープ画像記憶部３８に記憶されている古い画像を消去し（新規記憶領域を確保し）、ステップＳ４４において、モニタ画像を、キープ画像記憶部３８に記憶させる。
【０１３７】
ステップＳ４５において、CPU３１は、画像印刷装置１１の本体の異常が発生したか否かを、本体異常検知部６１が異常を検知したか否かにより判定する。
【０１３８】
ステップＳ４５において、画像印刷装置１１の本体の異常が発生したと判定された場合、ステップＳ４６において、CCDカメラ３１は、撮影ブース１２内の画像を撮影する（この例においては、CCDカメラ３１は、モニタを継続している）。
【０１３９】
ステップＳ４６において、CPU３１は、キープ画像記憶部３８に画像を新規に記憶できる領域が存在するか否かを判定する。
【０１４０】
ステップＳ４６において、新規記憶領域が存在すると判定された場合、CPU３１は、ステップＳ４９において、モニタ画像を、キープ画像記憶部３８に記憶させる。
【０１４１】
ステップＳ４７において、新規記憶領域が存在しないと判定された場合、CPU３１は、ステップＳ４８において、キープ画像記憶部３８に記憶されている古い画像を消去し（新規記憶領域を確保し）、ステップＳ４９において、モニタ画像を、キープ画像記憶部３８に記憶させる。
【０１４２】
なお、ステップＳ４４の処理においては、モニタ画像は、単に撮影ブース１２内の履歴の画像として、キープ画像記憶部３８に記憶されたが、ステップＳ４９の処理においては、モニタ画像は、画像印刷装置１１の異常が発生した時点の撮影ブース１２内の証拠の画像として、キープ画像記憶部３８に記憶される。
【０１４３】
従って、防犯上、上述した第２実施形態と同様に、ステップＳ４９の処理で記憶されるモニタ画像は、ステップＳ４４の処理で記憶されたモニタ画像（履歴としての画像）が記憶されている領域とは別の特定な領域に記憶させてもよい。
【０１４４】
ステップＳ５０において、CPU３１は、画像印刷装置１１に異常が発生した旨の警告メッセージを、操作パネル２３（表示部４１）に表示させ、ステップＳ５１において、例えば、硬貨投入口２５を封鎖する等の画像印刷装置１１の使用を停止させる処理を行い、防犯機能の処理を終了する。
【０１４５】
なお、第１実施形態同様、その警告メッセージは、スピーカ２４より、音声として出力されてもよい。
【０１４６】
一方、ステップＳ４５において、画像印刷装置１１の本体の異常が発生していないと判定された場合、ステップＳ５２において、CPU３１は、硬貨が投入されたか否かを、代金処理部４３が硬貨を検知したか否かにより判定する。
【０１４７】
ステップＳ５２において、硬貨が投入されていないと判定された場合、ステップＳ５４において、CPU３１は、タイマ４５に計時動作を終了させるとともに、写真シール取得プレイ処理を行う。
【０１４８】
そして、写真シール取得プレイ処理が終了された後、、ステップＳ５５において、CPU３１は、タイマ４５を０にリセットさせ、ステップＳ５６において、ステップＳ４４の処理でキープ画像記憶部３８に記憶されたモニタ画像を、消去する。
【０１４９】
ステップＳ５７において、CPU３１は、防犯機能のオフが指示されたか否かを判定し、オフが指示されたと判定した場合、防犯機能の処理を終了する。
【０１５０】
ステップＳ５７において、オフが指示されていないと判定された場合、ステップＳ４１に戻り、CCDカメラ２１は、モニタを開始し、ステップＳ４２乃至Ｓ４４の処理において、CPU３１は、モニタ画像をキープ画像記憶部３８に記録し、ステップＳ４５において、本体の異常が発生したか否かを監視（判定）する。
【０１５１】
一方、ステップＳ５２において、硬貨が投入されていないと判定された場合、ステップＳ５３において、CPU３１は、タイマ４５による所定の時間が計時されたか否かを判定する。
【０１５２】
ステップＳ５３において、所定の時間が計時されていないと判定された場合、ステップＳ４５に戻り、CPU３１は、画像印刷装置１１の本体の異常が発生したか否かを判定する。
【０１５３】
ステップＳ５３において、所定の時間が計時されたと判定された場合、CPU３１は、ステップＳ５５において、タイマ４５を０にリセットさせ、ステップＳ５６において、ステップＳ４４の処理でキープ画像記憶部３８に記憶された画像を、消去する。
【０１５４】
ステップＳ５７において、CPU３１は、防犯機能のオフが指示されたか否かを判定し、オフが指示されていないと判定した場合、ステップＳ４１に戻り、CCDカメラ２１は、モニタを継続し、ステップＳ４２乃至Ｓ４４の処理において、CPU３１は、モニタ画像をキープ画像記憶部３８に記録し、ステップＳ４５において、本体の異常が発生したか否かを監視（判定）する。
【０１５５】
即ち、第３実施形態においては、所定の時間の周期で、CPU３１は、画像印刷装置１１の異常が発生したか否かを監視（判定）する。異常が発生したと判定された場合、その異常が発生した時点の撮影ブース１２内のモニタ画像が、例えばキープ画像記憶部３８に記憶されるとともに、異常が発生した旨の警告メッセージが操作パネル２３（表示部４１）に表示され、画像印刷装置１１の使用が停止される。
【０１５６】
なお、ステップＳ４２乃至ステップＳ４４、およびステップＳ５６の処理は、図４のステップＳ２３乃至ステップＳ２５の処理と同様に、省略させてもよい。
【０１５７】
（第４実施形態）
図７は、本発明の第４実施形態が適用される画像印刷装置１１の構成例を表しており、図２の画像印刷装置１１に対応する部分には、対応する符号が付してある。
【０１５８】
この構成例においては、人体検知部７１、表示部７２、および通信部７３が、バス３７にさらに接続されている。
【０１５９】
表示部７２は、図１の画像印刷装置１１の筐体とは独立の構成とされ、別の位置に設置される。例えば、撮影ブース１２が設置されている場所から離れた位置にある監視室などに設置される。
【０１６０】
人体検知部７１は、撮影ブース１２内にいる人を検知するセンサ、例えば赤外線センサなどから構成される。
【０１６１】
通信部７３は、モデムなどから構成され、携帯電話機、PHS等の端末、あるいはパーソナルコンピュータ等により構成される外部情報処理装置７４と通信を行う。
【０１６２】
その他の構成は、図２における場合と同様である。
【０１６３】
図８のフローチャートを参照して、本発明の第４実施形態が適用される画像印刷装置１１の防犯機能の処理を説明する。
【０１６４】
ステップＳ６１において、CPU３１は、撮影ブース１２内に人がいるか否かを、人体検知部７１の出力に基づいて判定する。
【０１６５】
ステップＳ６１において、人がいないと判定された場合、ステップＳ７５において、CPU３１は、防犯機能のオフが指示されたか否かを判定し、オフが指示されたと判定した場合、防犯機能の処理を終了する。
【０１６６】
ステップＳ７５において、オフが指示されていないと判定された場合、CPU３１は、引き続き撮影ブース１２内に人がいるか否かを判定する。
【０１６７】
即ち、CPU３１は、人体検知部７１を使用して、撮影ブース１２内に人がいるか否かを常時監視している。
【０１６８】
一方、ステップＳ６１において、人がいると判定された場合、ステップＳ６２乃至Ｓ７５において、図４のステップＳ２３乃至Ｓ３６と同様の処理（第２実施形態と同様の処理）が行われる。
【０１６９】
即ち、第２実施形態においては、CPU３１は、CCDカメラ２１によりモニタされた画像に基づき、撮影ブース１２内に人がいるか否かを判定（監視）するのに対して、第４実施形態においては、CPU３１は、人体検知部７１の出力に基づき、撮影ブース１２内に人がいるか否かを判定（監視）する。
【０１７０】
そして、第２実施形態と同様に、人がいると判定された場合、その時点から所定の時間が経過しても、その人が硬貨を硬貨投入口２５に投入しないとき、CPU３１は、その人を要注意人物であると認定し、その要注意人物のモニタ画像を、例えばキープ画像記憶部３８に記憶させる。
【０１７１】
また、要注意人物の存在が認定された場合、警告メッセージが操作パネル２３（表示部４１）に表示されるとともに、音声としてスピーカ２４より出力される。
【０１７２】
さらに、第４実施形態においては、要注意人物のモニタ画像および警告メッセージが、外部に設置された表示部７２に表示されるとともに、通信部７３を介して、外部情報処理装置７４に対して送信される。
【０１７３】
これら一連の処理は、第２実施形態と同様に、その要注意人物が撮影ブース１２内から立ち去るか、または、硬貨を投入するまで、所定の時間の周期で繰り返される。
【０１７４】
（第５実施形態）
図９は、本発明の第５実施形態が適用される画像印刷装置１１の構成例を表しており、図７の画像印刷装置１１に対応する部分には、対応する符号が付してある。
【０１７５】
この構成例においては、図７の画像印刷装置１１に、図５と同一構成の本体異常検知部６１が、バス３７にさらに接続されている。
【０１７６】
その他の構成は、図７における場合と同様である。
【０１７７】
図１０のフローチャートを参照して、本発明の第５実施形態が適用される画像印刷装置１１の防犯機能の処理を説明する。
【０１７８】
ステップＳ８１において、CPU３１は、撮影ブース１２内に人がいるか否かを、人体検知部７１の出力に基づいて判定する。
【０１７９】
ステップＳ８１において、人がいないと判定された場合、ステップＳ９３において、CPU３１は、防犯機能のオフが指示されたか否かを判定し、オフが指示されたと判定した場合、防犯機能の処理を終了する。
【０１８０】
ステップＳ９３において、オフが指示されていないと判定された場合、ステップＳ８１に戻りCPU３１は、引き続き撮影ブース１２内に人がいるか否かを判定する。
【０１８１】
即ち、第４実施形態同様に、CPU３１は、人体検知部７１を使用して、撮影ブース１２内に人がいるか否かを常時監視している。
【０１８２】
一方、ステップＳ８１において、人がいると判定された場合、ステップＳ８２において、CPU３１は、タイマ４５に計時動作を開始させるとともに、CCDカメラ２１は、撮影ブース１２内の人をモニタする。
【０１８３】
ステップＳ８３において、CPU３１は、キープ画像記憶部３８に画像を新規に記憶できる領域が存在するか否かを判定する。
【０１８４】
新規記憶領域が存在すると判定された場合、ステップＳ８５において、CPU３１は、撮影ブース１２内にいる人のモニタ画像を、キープ画像記憶部３８に記憶させる。
【０１８５】
ステップＳ８３において、新規記憶領域が存在しないと判定された場合、CPU３１は、ステップＳ８４において、キープ画像記憶部３８に記憶されている古い画像を消去し（新規記憶領域を確保し）、ステップＳ８５において、撮影ブース１２内にいる人のモニタ画像を、キープ画像記憶部３８に記憶させる。
【０１８６】
ステップＳ８６において、CPU３１は、画像印刷装置１１の本体の異常が発生したか否かを、本体異常検知部６１が異常を検知したか否かにより判定する。
【０１８７】
ステップＳ８６において、画像印刷装置１１の本体の異常が発生したと判定された場合、ステップＳ８７において、CPU３１は、本体の異常対応処理を行う。
【０１８８】
この本体の異常対応処理は、第３実施形態における図６のステップＳ４６乃至ステップＳ５１の処理と同様の処理である。
【０１８９】
即ち、画像印刷装置１１の本体（ハード）の異常が発生した場合、モニタ画像（その異常が発生した時点の画像）が、例えばキープ画像記憶部３８に記憶される。
【０１９０】
また、画像印刷装置１１に異常が発生している旨の警告メッセージが操作パネル２３（表示部４１）に表示されるとともに、音声として、スピーカ２４より出力された後、画像印刷装置１１の使用が停止される。
【０１９１】
さらに、第５実施形態においては、モニタ画像および警告メッセージが、外部の表示部７２に表示されるとともに、外部情報処理装置７４に対して、通信部７３を介して送信される。
【０１９２】
一方、ステップＳ８６において、画像印刷装置１１の本体の異常が発生していないと判定された場合、CPU３１は、硬貨が投入されたか否かを、代金処理部４３が硬貨を検知したか否かにより判定する。
【０１９３】
硬貨が投入されたと判定された場合、ステップＳ９１において、CPU３１は、タイマ４５に計時動作を終了させるとともに、写真シール取得プレイ処理を行う。
【０１９４】
そして、写真シール取得プレイ処理が終了された後、CPU３１は、ステップＳ９２において、タイマ４５を０にリセットさせるとともに、ステップＳ９３において、CPU３１は、防犯機能のオフが指示されたか否かを判定し、オフが指示されたと判定した場合、防犯機能の処理を終了する。
【０１９５】
ステップＳ９３において、オフが指示されていないと判定された場合、ステップＳ８１に戻り、CPU３１は、人がいるか否かの監視（判定）を引き続き行う。
【０１９６】
一方、ステップＳ８８において、硬貨が投入されていないと判定された場合、ステップＳ８９において、CPU３１は、タイマ４５による所定の時間が計時されたか否かを判定する。
【０１９７】
ステップＳ８９において、所定の時間が計時されていないと判定された場合、ステップＳ８６に戻り、CPU３１は、画像印刷装置１１の本体の異常が発生したか否かを再度判定する。
【０１９８】
ステップＳ８９において、所定の時間が計時されたと判定された場合、ステップＳ９０において、CPU３１は、要注意人物対応処理を行う。
この要注意人物対応処理は、第４実施形態における図８のステップＳ６９乃至Ｓ７４の処理（第２実施形態における図４のステップＳ３０乃至Ｓ３５の処理）と同様の処理である。
【０１９９】
即ち、第４実施形態（および第２実施形態）と同様に、撮影ブース１２内に人がいると判定されてから所定の時間が経過しても、その人が、硬貨投入口２５に硬貨を投入しないまま、まだ撮影ブース１２内にいる場合、CPU３１は、その人を要注意人物であると認定し、その要注意人物のモニタ画像を、例えばキープ画像記憶部３８に記憶させる。
【０２００】
また、要注意人物の存在が認定された場合、警告メッセージが操作パネル２３（表示部４１）に表示されるとともに、音声としてスピーカ２４より出力される。
【０２０１】
さらに、要注意人物のモニタ画像および警告のメッセージが、外部に設置された表示部７２に表示されるとともに、通信部７３を介して、外部情報処理装置７４に対して送信される。
【０２０２】
このように、第５実施形態においては、CPU３１は、撮影ブース１２内に人がいるか否かを常時監視し、人がいると判定した場合、撮影ブース１２内をCCDカメラ２１によりモニタするとともに、画像印刷装置１１のハードの異常が発生したか否かを監視する。
【０２０３】
そして、異常が認められた場合（画像印刷装置１１のハードの異常が発生した場合、または、撮影ブース１２内の人が要注意人物であると認定された場合）、その異常時点の要注意人物のモニタ画像が、例えばキープ画像記憶部３８に記憶される。
【０２０４】
また、そのモニタ画像とともに警告メッセージが、撮影ブース内の操作パネル（表示部２３）に表示されるとともに、外部の表示部７２にも表示され、さらに、通信部７３を介して、外部情報処理装置７４に送信される。
【０２０５】
これら一連の処理は、硬貨が投入されるまで、所定の時間の周期で繰り返される。
【０２０６】
ただし、画像印刷装置１１の異常が発生した場合、画像印刷装置１１の使用は停止される。
【０２０７】
上述した一連の処理を実行させるプログラムは、ネットワークや記録媒体からインストールされる。
【０２０８】
この記録媒体は、図２、図５、図７、および図９に示されるように、装置本体とは別に、ユーザ（画像印刷装置１１の所有者）にプログラムを提供するために配布され、ドライブ３５に装着される、プログラムが記録されている磁気ディスク５１（フロッピディスクを含む）、光ディスク５２（CD-ROM(Compact Disk-Read Only Memory),DVD(Digital Versatile Disk)を含む）、光磁気ディスク５３（ＭＤ（Mini-Disk）を含む）、もしくは半導体メモリ５４などよりなるパッケージメディアにより構成されるだけでなく、装置本体に予め組み込まれた状態でユーザに提供される、プログラムが記録されているROM３２や、プログラム記憶部３４に含まれるハードディスクなどで構成される。
【０２０９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１０】
【発明の効果】
以上のごとく、本発明の画像印刷装置、画像印刷装置の防犯方法、およびプログラムによれば、所定の処理が行われてから、印刷される画像の代金が検知されるまでの間、所定の撮影範囲内の空間を撮影し、撮影した画像を記憶するので、画像印刷装置の防犯機能を強化することが可能となる。
【０２１１】
即ち、管理者等は、所定のタイミングで、記憶された画像を確認することで、画像印刷装置にいたずらしたり、貨幣を盗んだ者を特定することができる。
【図面の簡単な説明】
【図１】本発明が適用される画像印刷装置の外観の構成例を示す斜視図である。
【図２】本発明の第１および第２実施形態が適用される画像印刷装置の構成例を示すブロック図である。
【図３】本発明の第１実施形態が適用される画像印刷装置の防犯機能の処理を説明するフローチャートである。
【図４】本発明の第２実施形態が適用される画像印刷装置の防犯機能の処理を説明するフローチャートである。
【図５】本発明の第３実施形態が適用される画像印刷装置の構成例を示すブロック図である。
【図６】本発明の第３実施形態が適用される画像印刷装置の防犯機能の処理を説明するフローチャートである。
【図７】本発明の第４実施形態が適用される画像印刷装置の構成例を示すブロック図である。
【図８】本発明の第４実施形態が適用される画像印刷装置の防犯機能の処理を説明するフローチャートである。
【図９】本発明の第５実施形態が適用される画像印刷装置の構成例を示すブロック図である。
【図１０】本発明の第５実施形態が適用される画像印刷装置の防犯機能の処理を説明するフローチャートである。
【符号の説明】
１１  画像印刷装置
１２  撮影ブース
２１  CCDカメラ
２３  操作パネル
２４スピーカ
２５  硬貨投入口
３１  CPU
３２  ROM
３４  プログラム記憶部
３８  キープ画像記憶部
３９  音声出力制御部
４１，７２  表示部
４３  代金処理部
４４  プリンタ
６１  本体異常検知部
７１  人体検知部
７３  通信部
７４  外部情報処理装置
【図１】
0003697658.tif 000002
【図２】
0003697658.tif 000003
【図３】
0003697658.tif 000004
【図４】
0003697658.tif 000005
【図５】
0003697658.tif 000006
【図６】
0003697658.tif 000007
【図７】
0003697658.tif 000008
【図８】
0003697658.tif 000009
【図９】
0003697658.tif 000010
【図１０】
0003697658.tif 000011